(57)【要約】【課題】  特定された者が発した音声命令のみを正規の音声命令として入力するようにして、ユーザに対する安全性を確保することのできる音声認識機能付きの温水システムを提供する。【解決手段】  湯水を加熱して温水を供給する給湯装置本体１と、給湯装置本体１を動作させるための音声命令を入力するマイクロフォン２５ｂと、マイクロフォン２５ｂによって入力された音声命令に基づいて給湯装置本体１の動作を制御する本体側マイコン１２と、を備える温水システムであって、本体側マイコン１２は、特定ユーザの発する第１特定音声命令に基づいて、温水機器の動作モードを、通常動作モードからマイクロフォン２５ｂによる音声命令の入力を不可とする音声命令入力不可モードに移行させるとともに、第１特定音声命令とは異なる、特定ユーザの発する第２特定音声命令に基づいて、温水機器の動作モードを、音声命令入力不可モードから通常動作モードに移行させる。【選択図】  図２
2005180786.tif 000002
【特許請求の範囲】
【請求項１】
湯水を加熱して温水を供給する温水機器と、前記温水機器を動作させるための音声命令を入力する音声入力手段と、前記音声入力手段によって入力された音声命令に基づいて前記温水機器の動作を制御する制御手段と、を備える温水システムであって、
特定ユーザの発する第１特定音声命令に基づいて、前記温水機器の動作状態を、通常動作状態から前記音声入力手段による音声命令の入力を不可とする音声命令入力不可状態に移行させるとともに、
前記第１特定音声命令とは異なる、前記特定ユーザによる第２特定音声命令に基づいて、前記温水機器の動作状態を、前記音声命令入力不可状態から前記通常動作状態に移行させる状態移行手段を備えることを特徴とする、温水システム。
【請求項２】
湯水を加熱して温水を供給する温水機器と、前記温水機器を動作させるための音声命令を入力する音声入力手段と、前記音声入力手段によって入力された音声命令に基づいて前記温水機器の動作を制御する制御手段と、を備える温水システムであって、
特定ユーザの発する第１特定音声命令を予め登録する第１音声登録手段と、
前記音声入力手段によって入力された音声命令が、前記第１音声登録手段によって登録された前記第１特定音声命令と一致するか否かを判別する第１判別手段と、
前記音声入力手段によって入力された音声命令が前記第１特定音声命令と一致すると前記第１判別手段によって判別されたとき、前記温水機器の動作状態を、前記通常動作状態から前記音声命令入力不可状態に切り換える第１切換手段と、
前記第１特定音声命令とは異なる、前記特定ユーザの発する第２特定音声命令を予め登録する前記第２音声登録手段と、
前記音声入力手段によって入力された音声命令が、前記第２音声登録手段によって登録された前記第２特定音声命令と一致するか否かを判別する第２判別手段と、
前記第１切換手段によって前記温水機器の動作状態が前記音声命令入力不可状態に切り換えられた場合、前記音声入力手段によって入力された音声命令が前記第２特定音声命令と一致すると前記第２判別手段によって判別されたとき、前記温水機器の動作状態を、前記音声命令入力不可状態から前記通常動作状態に切り換える第２切換手段と、
を備えることを特徴とする、温水システム。
【請求項３】
前記温水機器を動作させるためのユーザの操作を入力するための操作入力手段と、
前記操作入力手段による操作入力に基づいて前記温水機器を動作させる操作制御手段と、をさらに備え、
前記操作制御手段は、前記第１切換手段によって前記温水機器の動作状態が前記音声命令入力不可状態に切り換えられたとき、前記操作入力手段による操作入力を不可とする、請求項２に記載の温水システム。
【請求項４】
前記第１および第２特定音声命令とは異なる、前記特定ユーザの発する第３特定音声命令を予め登録する前記第３音声登録手段と、
前記音声入力手段によって入力された音声命令が、前記第３音声登録手段によって登録された前記第３特定音声命令と一致するか否かを判別する第３判別手段と、
前記第１切換手段によって前記温水機器の動作状態が前記音声命令入力不可状態に切り換えられた場合、前記音声入力手段によって入力された音声命令が前記第３特定音声命令と一致すると前記第３判別手段によって判別されたとき、前記第３特定音声命令に基づいて前記温水機器を動作させる第１動作制御手段と、をさらに備える、請求項２または３に記載の温水システム。
【請求項５】
前記第３特定音声命令は、温水制御における安全性の程度に基づいて予め定められている、請求項４に記載の温水システム。
【請求項６】
前記温水機器を動作させるための音声命令を予め登録する前記第４音声登録手段と、
前記音声入力手段によって入力された音声命令が、前記第４音声登録手段によって登録された音声命令と一致するか否かを判別する第４判別手段と、
前記第１切換手段によって前記温水機器の動作状態が前記音声命令入力不可状態に切り換えられたとき、前記音声入力手段によって入力された音声命令が、前記第４音声登録手段によって登録された音声命令と一致すると前記第４判別手段によって判別されたとき、前記音声入力手段によって入力された音声命令に基づいて前記温水機器を動作させる第２動作制御手段とを備え、
前記第４音声登録手段によって登録された音声命令の種類は、前記第３音声登録手段によって登録された前記第３特定音声命令の種類と異なるように定められている、請求項３ないし５のいずれかに記載の温水システム。
【請求項７】
前記第４音声登録手段によって登録された音声命令は、温水制御における安全性の程度に基づいて予め定められている、請求項６に記載の温水システム。
【請求項８】
前記第２切換手段は、ユーザによって行われる所定操作に基づいて、前記温水機器の動作状態を、前記音声命令入力不可状態から前記通常動作状態に切り換える、請求項２ないし７のいずれかに記載の温水システム。
【請求項９】
前記音声入力手段によって入力された音声命令が前記温水機器を動作させるための音声命令であるか否かを判別するための基準となり、かつ音声命令ごとに定められる認識基準値を、前記第１および第２特定音声命令のものと、これら第１および第２特定音声命令以外の音声命令のものとで異なるように設定する第１認識基準値設定手段をさらに備える、請求項１ないし８のいずれかに記載の温水システム。
【請求項１０】
前記音声入力手段によって入力された音声命令が前記温水機器を動作させるための音声命令であるか否かを判別するための基準となり、かつ音声命令ごとに定められる認識基準値を、前記第１特定音声命令のものと、前記第２特定音声命令のものとで異なるように設定する第２認識基準値設定手段をさらに備える、請求項１ないし８のいずれかに記載の温水システム。
【請求項１１】
前記音声入力手段によって入力された音声命令が前記温水機器を動作させるための音声命令であるか否かを判別するための基準となり、かつ音声命令ごとに定められる認識基準値を、前記通常動作状態において入力される音声命令のものと、前記音声命令入力不可状態において入力される音声命令のものとで異なるように設定する第３認識基準値設定手段をさらに備える、請求項１ないし８のいずれかに記載の温水システム。
【請求項１２】
前記温水機器は、給湯装置、風呂装置、温水暖房装置、温水床暖房装置、融雪装置、または温水空調装置の少なくともいずれか、若しくはこれらを組み合わせたものである、請求項１ないし１１のいずれかに記載の温水システム。
【発明の詳細な説明】
【技術分野】
【０００１】
本発明は、ユーザの発する音声を認識してその音声に応じた温水制御を行う温水システムに関するものである。
【背景技術】
【０００２】
従来、給湯などの温水制御運転が可能な温水システムとしては、たとえば給湯装置本体と、それに２芯線などによって接続された浴室リモコンや台所リモコンとを備えて構成されたものがある。給湯装置本体は、一般給湯用、風呂追い焚き用および温水暖房用などの熱交換器を備える燃焼ユニットと、この燃焼ユニットを制御するマイクロコンピュータとが備えられている。浴室リモコンや台所リモコンは、給湯装置本体の給湯運転を遠隔操作するためのものであり、操作スイッチや液晶表示器などを有する表示部が備えられている。
【０００３】
このような温水システムには、ユーザの音声命令を認識してその音声命令に応じた温水制御を行う、いわゆる音声認識機能を有するものも提案されている（たとえば、特許文献１参照。）。
【特許文献１】特開平６−３１５１９０号公報
【発明の開示】
【発明が解決しようとする課題】
【０００４】
ところが、この音声認識機能を有する温水システムでは、入浴者の発する音声命令によって温水制御が行われるため、たとえば入浴者によって無意識に発せられた言葉を、温水制御に関する音声命令であると誤認識してしまう場合がある。たとえば、入浴者が子供である場合、当該子供がなにげなく発した言葉を音声命令として誤認識していまい、その音声命令が、通常の動作状態とは異なる、音声命令が入力不可とされる音声命令入力不可状態を解除するものであった場合、大人が音声命令入力不可状態に設定したのにもかかわらず、それが解除されるといった不都合が生じる。また、その後、さらに音声命令入力不可状態を解除された状態でたとえば風呂湯の温度を上昇させる旨の音声命令を子供が発すると、子供の知らない間に風呂湯の温度が上昇してしまうといったことも生じ、入浴者に対する安全性が欠如することになる。
【０００５】
本願発明は、上記した事情のもとで考え出されたものであって、特定された者が発した音声命令のみを正規の音声命令として入力するようにして、ユーザに対する安全性を確保することのできる音声認識機能付きの温水システムを提供することを、その課題とする。
【課題を解決するための手段】
【０００６】
上記の課題を解決するため、本願発明では、次の技術的手段を講じている。
【０００７】
本願発明の第１の側面によって提供される温水システムは、湯水を加熱して温水を供給する温水機器と、前記温水機器を動作させるための音声命令を入力する音声入力手段と、前記音声入力手段によって入力された音声命令に基づいて前記温水機器の動作を制御する制御手段と、を備える温水システムであって、特定ユーザの発する第１特定音声命令に基づいて、前記温水機器の動作状態を、通常動作状態から前記音声入力手段による音声命令の入力を不可とする音声命令入力不可状態に移行させるとともに、前記第１特定音声命令とは異なる、前記特定ユーザの発する第２特定音声命令に基づいて、前記温水機器の動作状態を、前記音声命令入力不可状態から前記通常動作状態に移行させる状態移行手段を備えることを特徴としている（請求項１）。
【０００８】
この構成によれば、特定ユーザ（たとえば大人）が第１特定音声命令（たとえば音声命令の入力が不可とされる音声命令入力不可状態に移行させる旨の音声命令）を発すると、温水機器の動作状態が、通常動作状態から音声命令入力不可状態に移行される。また、特定ユーザが第２特定音声命令（たとえば音声命令入力不可状態を解除させる旨の音声命令）を発すると、温水機器の動作状態が、音声命令入力不可状態から通常動作状態に移行される。このように、特定ユーザの特定音声命令にしたがって、温水機器の動作状態が音声命令入力不可状態に切り換わるので、たとえば子供がなにげなく発した言葉を誤認識してしまい、音声命令入力不可状態を解除してしまうといった不都合を防止することができる。また、その後、音声命令入力不可状態が解除された状態でたとえば風呂湯の温度を上昇させる旨の音声命令を子供が発し、子供の知らない間に風呂湯の温度が上昇してしまうといったことも防止することができ、入浴者に対する安全性を確保した温水システムを提供することができる。
【０００９】
本願発明の第２の側面によって提供される温水システムは、湯水を加熱して温水を供給する温水機器と、前記温水機器を動作させるための音声命令を入力する音声入力手段と、前記音声入力手段によって入力された音声命令に基づいて前記温水機器の動作を制御する制御手段と、を備える温水システムであって、特定ユーザの発する第１特定音声命令を予め登録する第１音声登録手段と、前記音声入力手段によって入力された音声命令が、前記第１音声登録手段によって登録された前記第１特定音声命令と一致するか否かを判別する第１判別手段と、前記音声入力手段によって入力された音声命令が前記第１特定音声命令と一致すると前記第１判別手段によって判別されたとき、前記温水機器の動作状態を、前記通常動作状態から前記音声命令入力不可状態に切り換える第１切換手段と、前記第１特定音声命令とは異なる、前記特定ユーザの発する第２特定音声命令を予め登録する前記第２音声登録手段と、前記音声入力手段によって入力された音声命令が、前記第２音声登録手段によって登録された前記第２特定音声命令と一致するか否かを判別する第２判別手段と、前記第１切換手段によって前記温水機器の動作状態が前記音声命令入力不可状態に切り換えられた場合、前記音声入力手段によって入力された音声命令が前記第２特定音声命令と一致すると前記第２判別手段によって判別されたとき、前記温水機器の動作状態を、前記音声命令入力不可状態から前記通常動作状態に切り換える第２切換手段と、を備えることを特徴としている（請求項２）。
【００１０】
好ましい実施の形態によれば、前記温水機器を動作させるためのユーザの操作を入力するための操作入力手段と、前記操作入力手段による操作入力に基づいて前記温水機器を動作させる操作制御手段と、をさらに備え、前記操作制御手段は、前記第１切換手段によって前記温水機器の動作状態が前記音声命令入力不可状態に切り換えられたとき、前記操作入力手段による操作入力を不可とするとよい（請求項３）。
【００１１】
好ましい実施の形態によれば、前記第１および第２特定音声命令とは異なる、前記特定ユーザの発する第３特定音声命令を予め登録する前記第３音声登録手段と、前記音声入力手段によって入力された音声命令が、前記第３音声登録手段によって登録された前記第３特定音声命令と一致するか否かを判別する第３判別手段と、前記第１切換手段によって前記温水機器の動作状態が前記音声命令入力不可状態に切り換えられた場合、前記音声入力手段によって入力された音声命令が前記第３特定音声命令と一致すると前記第３判別手段によって判別されたとき、前記第３特定音声命令に基づいて前記温水機器を動作させる第１動作制御手段と、をさらに備えるとよい（請求項４）。
【００１２】
他の好ましい実施の形態によれば、前記温水機器を動作させるための音声命令を予め登録する前記第４音声登録手段と、前記音声入力手段によって入力された音声命令が、前記第４音声登録手段によって登録された音声命令と一致するか否かを判別する第４判別手段と、前記第１切換手段によって前記温水機器の動作状態が前記音声命令入力不可状態に切り換えられたとき、前記音声入力手段によって入力された音声命令が、前記第４音声登録手段によって登録された音声命令と一致すると前記第４判別手段によって判別されたとき、前記音声入力手段によって入力された音声命令に基づいて前記温水機器を動作させる第２動作制御手段とを備え、前記第４音声登録手段によって登録された音声命令の種類は、前記第３音声登録手段によって登録された前記第３特定音声命令の種類と異なるように定められているとよい（請求項６）。
【００１３】
他の好ましい実施の形態によれば、前記第３特定音声命令は、温水制御における安全性の程度に基づいて予め定められているとよく（請求項５）、前記第４音声登録手段によって登録された音声命令は、温水制御における安全性の程度に基づいて予め定められているとよい（請求項７）。
【００１４】
他の好ましい実施の形態によれば、前記第２切換手段は、ユーザによって行われる所定操作に基づいて、前記温水機器の動作状態を、前記音声命令入力不可状態から前記通常動作状態に切り換えるとよい（請求項８）。
【００１５】
他の好ましい実施の形態によれば、前記音声入力手段によって入力された音声命令が前記温水機器を動作させるための音声命令であるか否かを判別するための基準となり、かつ音声命令ごとに定められる認識基準値を、前記第１および第２特定音声命令のものと、これら第１および第２特定音声命令以外の音声命令のものとで異なるように設定する第１認識基準値設定手段をさらに備えるよい（請求項９）。
【００１６】
また、前記音声入力手段によって入力された音声命令が前記温水機器を動作させるための音声命令であるか否かを判別するための基準となり、かつ音声命令ごとに定められる認識基準値を、前記第１特定音声命令のものと、前記第２特定音声命令のものとで異なるように設定する第２認識基準値設定手段をさらに備えるとよい（請求項１０）。
【００１７】
あるいは、前記音声入力手段によって入力された音声命令が前記温水機器を動作させるための音声命令であるか否かを判別するための基準となり、かつ音声命令ごとに定められる認識基準値を、前記通常動作状態において入力される音声命令のものと、前記音声命令入力不可状態において入力される音声命令のものとで異なるように設定する第３認識基準値設定手段をさらに備えるとよい（請求項１１）。
【００１８】
他の好ましい実施の形態によれば、前記温水機器は、給湯装置、風呂装置、温水暖房装置、温水床暖房装置、融雪装置、または温水空調装置の少なくともいずれか、若しくはこれらを組み合わせたものであるとよい（請求項１２）。
【００１９】
本願発明のその他の特徴および利点は、添付図面を参照して以下に行う詳細な説明によって、より明らかとなろう。
【発明を実施するための最良の形態】
【００２０】
以下、本願発明の好ましい実施の形態を、添付図面を参照して具体的に説明する。
【実施例１】
【００２１】
図１は、本願発明の実施例１にかかる温水システムを一般住宅に適用した場合の一例を示す概略構成図である。図２は、この温水システムの電気的構成を示す図である。この温水システムは、浴室や台所において給湯を行うものであり、ユーザの発する音声を認識しその音声に応じて各種の給湯制御を行う、いわゆる音声認識機能を有している。すなわち、ユーザがたとえば給湯運転に関する制御命令を音声にして発すると、たとえば「運転スイッチオン」と発すると、その音声命令が認識されそれに応じた給湯制御、たとえば給湯運転動作が開始するといった制御が行われる。
【００２２】
さらに詳細には、この温水システムでは、運転動作に関するモードとして、通常の給湯運転動作モードの他に、音声命令入力不可モードが設定可能とされている。音声命令入力不可モードとは、そのモードが実行されている間は、ユーザが発する音声命令の入力を受け付け不可とするモードである。また、この実施形態では、ある特定のユーザ（たとえば大人）によって音声命令入力不可モードの設定および解除が可能とされている。すなわち、特定ユーザ以外のユーザ（たとえば子供）には、音声命令入力不可モードの設定および解除を行うことができない構成とされている。以下、詳述する。
【００２３】
この温水システムは、給湯装置本体１と、これを遠隔操作するための浴室リモコン２および台所リモコン３とによって概略構成されている。給湯装置本体１は、２芯線４を介して浴室リモコン２および台所リモコン３を接続している。
【００２４】
給湯装置本体１は、たとえば住宅の屋外に設置され、図２に示すように、給湯用、風呂追い焚き用、または温水暖房用の熱交換器、各種燃焼器、および各種バルブなど（いずれも図示せず）を含む燃焼ユニット１０と、給湯装置本体１の全体動作を制御する制御部１１とを備えている。
【００２５】
制御部１１は、たとえば電子部品が搭載されたプリント基板によって構成され、マイクロコンピュータ１２（以下、「本体側マイコン１２」という）、各種のデータを必要に応じて記憶するＥＥＰＲＯＭ１３、および通信部１４などを有している。本体側マイコン１２は、給湯装置本体１の制御中枢となるものであり、図示しないＲＯＭに記憶されている運転実行プログラム、あるいは浴室リモコン２、台所リモコン３、および図示しない暖房用機器などから送られるコマンド信号などに基づいて、各種燃焼器の燃焼状態や各種バルブの開閉を制御する。
【００２６】
通信部１４は、浴室リモコン２や台所リモコン３との通信を行うためのものであり、所定の変復調方式に基づいた変復調回路によって構成されている。給湯装置本体１から浴室リモコン２および台所リモコン３に対しては、２芯線４を介して電源供給（たとえばＤＣ１５Ｖ）がされており、上記通信部１４において変調されたデータ信号は、電源電圧に重畳され、この２芯線４を介して浴室リモコン２または台所リモコン３に伝達される。また、浴室リモコン２および台所リモコン３から上記２芯線４を介して伝達された操作信号としてのデータ信号は、上記通信部１４において復調され、本体側マイコン１２に送られる。本体側マイコン１２は、送られたデータ信号に基づいて、各種の給湯動作を行うための指令信号を各種燃焼器や各種バルブに対して送り、各種燃焼器や各種バルブは、この指令信号に基づいて動作する。
【００２７】
浴室リモコン２は、図３に示すように、浴室内に設置され、防水機能が施されたケースを備えており、給湯装置本体１を遠隔操作するものである。また、浴室リモコン２は、ユーザの発する音声命令を認識する音声認識機能を有するとともに、その音声命令に応じた制御処理の内容をコマンド信号にして給湯装置本体１に送る機能を有する。
【００２８】
浴室リモコン２は、図２に示したように、制御部２１、通信部２２、表示部２３、操作部２４、および音声処理部２５を備えている。制御部２１は、マイクロコンピュータ２６（以下、「浴室側マイコン２６」という）、およびＥＥＰＲＯＭ２７を備えている。音声処理部２５には、スピーカ２５ａおよびマイクロフォン２５ｂが接続されている。
【００２９】
浴室側マイコン２６は、この浴室リモコン２の制御を司るものであり、図示しないＲＯＭによって記憶されている実行プログラムや、ユーザによる操作部２４の操作内容に基づいて、各部の動作制御やデータ処理を実行し、たとえば給湯温度、風呂湯温の設定温度、およびバーナの点火状況などを必要に応じて表示部２３に表示させたり、スピーカ２５ａから給湯運転に関する音声を出力させたりする。
【００３０】
ＥＥＰＲＯＭ２７は、各種のデータを必要に応じて記憶するものである。特に、このＥＥＰＲＯＭ２７には、後述する操作スイッチの内容に対応した、あるいは操作スイッチの操作が組み合わされて成立する制御命令に対応した複数の音声命令が音声データの形で登録されている。具体的には、ＥＥＰＲＯＭ２７には、図４に示すような音声命令登録テーブルが設けられ、運転スイッチ２４ａ（後述）のオンの動作に対応する標準の音声命令として、「運転スイッチオン」といった音声命令が予め登録されている。また、標準の音声命令としては、「運転スイッチオン」の他に、「運転スイッチオフ」、「あつくスイッチオン」、「ぬるくスイッチオン」、「補水スイッチオン」などが登録されている。
【００３１】
浴室側マイコン２６は、ユーザが音声命令を発すると、その音声命令を受け入れ、それとＥＥＰＲＯＭ２７に予め登録された標準の音声命令とを照合する。すなわち、両者のスペクトラム波形または振幅波形を比較して、それらが一致するかどうかの度合いを示す一致度を算出する。そして、その一致度と認識基準値とを比較することにより、ユーザが発する音声命令と登録された音声命令とが一致するか否かを判別する。ここで、認識基準値とは、入力された音声命令が認識できるか否かの基準となる基準値をいい、たとえば百分率で表される。認識基準値は、予め音声命令ごとに定められており、ＥＥＰＲＯＭ２７に記憶されている。なお、本実施例１では、認識基準値は、各音声命令で一定の値とされている。
【００３２】
浴室側マイコン２６は、上記一致度がＥＥＰＲＯＭ２７に記憶される認識基準値を上回る場合、音声命令が一致したと判別し、ユーザの発する音声命令を認識する。逆に、一致度が上記認識基準値を下回る場合には、音声命令が一致していないと判別する。浴室側マイコン２６は、音声命令が一致すると判別した場合、その音声命令に応じた制御処理の内容を把握し、それを給湯装置本体１にコマンド信号として送る。たとえば、ユーザが「運転スイッチオン」といった音声命令を発すれば、その旨がコマンド信号として給湯装置本体１に送られ、給湯装置本体１では、運転スイッチ２４ａをオンしたときの状態と同等の状態に制御されるようになっている。
【００３３】
また、ＥＥＰＲＯＭ２７には、図４に示すように、音声命令入力不可モードを設定するおよび解除するための音声命令を記憶するための領域が設けられている。この音声命令入力不可モードを設定するおよび解除するための特定音声命令（たとえば音声命令入力不可モードを設定するときは「ロックオン」、音声命令入力不可モードを解除するときは「ロックオフ」）は、ある特定のユーザが所定の方法（後述）で予め登録されるものである。なお、特定ユーザの音声命令は、複数名のものを登録することが可能とされ、図４では、特定ユーザＡ、特定ユーザＢの音声命令が登録された場合を例示している。
【００３４】
浴室側マイコン２６は、特定ユーザが特定音声命令（たとえば「ロックオン」）を発すると、その音声命令を受け入れ、それとＥＥＰＲＯＭ２７に予め登録された特定音声命令とを照合する。すなわち、両者のスペクトラム波形または振幅波形を比較して、それらが一致するかどうかを上記した方法と同様の方法で判別し、一致する場合、特定ユーザによって発せられた特定音声命令と認識する。そして、その音声命令に応じた制御処理の内容を把握し、それを給湯装置本体１にコマンド信号として送る。たとえば、ユーザが「ロックオン」といった音声命令を発すれば、その旨がコマンド信号として給湯装置本体１に送られ、給湯装置本体１では、運転動作モードを通常の給湯運転動作モードから音声命令入力不可モードに移行させる制御が行われるようになっている。
【００３５】
通常の給湯運転動作モードにおいては、特定のユーザ以外のユーザ（たとえば子供）が音声命令入力不可モードに移行させるための特定音声命令（たとえば「ロックオン」）を発しても、その特定音声命令を受け付けず、音声命令入力不可モードに移行されない。また、音声命令入力不可モードにおいては、特定のユーザ以外のユーザが給湯制御に関する音声命令、または音声命令入力不可モードを解除させるための特定音声命令（たとえば「ロックオフ」）を発しても、それらの音声命令を受け付けないようにされている。
【００３６】
また、ＥＥＰＲＯＭ２７には、給湯制御に関する動作が行われる際、ユーザに対して案内する案内メッセージが音声データの形で予め記憶されている。この案内メッセージは、浴室側マイコン２６によって必要に応じてＥＥＰＲＯＭ２７から読み出され、音声にして出力される。
【００３７】
図２に戻り、通信部２２は、給湯装置本体１や台所リモコン３との通信を行うためのものであり、所定の変復調方式に基づいた変復調回路によって構成されている。給湯装置本体１または台所リモコン３から２芯線４を介して伝達されたデータ信号は、この通信部２２において復調され、浴室側マイコン２６に送られる。また、通信部２２において変調された信号は、２芯線４を介して給湯装置本体１または台所リモコン３に伝達される。
【００３８】
表示部２３は、図３に示すように、たとえば多数の蛍光体をドットマトリクス状に配置した蛍光管や液晶ディスプレイ装置などからなり、浴室側マイコン２６からの指令により風呂湯の設定温度やバーナの点火状況などを表示する。また、表示部２３は、必要に応じて音声認識機能に関する案内メッセージを表示したり、チャイルド・ロック機能（後述）が実行中である旨などを表示したりする。
【００３９】
操作部２４は、ユーザによって給湯運転を入力するために操作されるものであって、複数の照光式の操作スイッチからなる。具体的には、運転の発停を行うためのスイッチ２４ａ、出湯温度や湯張りの水位を設定するためのアップ・ダウンスイッチ２４ｂ、優先スイッチ２４ｃ、ユーザが操作をすると自動で湯張りや保温などを行うための風呂自動スイッチ２４ｄ、追い焚き運転を行うための追い焚きスイッチ２４ｅ、および入浴者が必要に応じて台所にいる者と通話するための通話スイッチ２４ｆ、各種の設定を行うための設定スイッチ２４ｇなどが設けられている。
【００４０】
また、アップ・ダウンスイッチ２４ｂは、出湯温度や湯張りの水位を設定する機能の他に、たとえば子供による入力操作を禁止する、いわゆるチャイルド・ロック機能を手動によって設定する、および解除する機能を有している。たとえば、ユーザが上下にあるアップ・ダウンスイッチ２４ｂの両方を同時に所定時間の間、押下すると、チャイルド・ロック機能が設定されるようになっている。また、チャイルド・ロック機能の実行中に、アップ・ダウンスイッチ２４ｂを押下すると、チャイルド・ロック機能が解除されるようになっている。なお、チャイルド・ロック機能を設定するおよび解除するスイッチは、図５に示すように、アップ・ダウンスイッチ２４ｂと兼用せずに、別途、チャイルド・ロックスイッチ２４ｈとして設けられていてもよい。
【００４１】
ユーザによって、上記操作スイッチが操作されると、その操作信号が浴室側マイコン２６に送られる。また、これらの操作スイッチは、通常の給湯運転が行われる通常運転モードでは、本来の運転動作を行うために操作されるが、上記のように、チャイルド・ロック機能が実行されると、各操作スイッチによる入力操作が不可とされるようになっている。
【００４２】
なお、運転動作モードが音声命令入力不可モードに移行されたときにも、各操作スイッチによる入力操作が不可とされるようになっている。すなわち、浴室側マイコン２６は、音声命令入力不可モードに移行すると、各操作スイッチからの操作信号を無視するように動作する。
【００４３】
また、浴室リモコン２には、マイクロフォン２５ｂが内蔵されており、このマイクロフォン２５ｂを通じてユーザの発する音声が入力されるようになっている。
【００４４】
音声処理部２５は、マイクロフォン２５ｂを通じて入力されるアナログ信号としての音声をディジタル信号としての所定の音声データに変換したり、ディジタル信号としての音声データをアナログ信号としての音声に変換してスピーカ２５ａから出力させたりするためのものである。
【００４５】
一方、台所リモコン３は、上記に示したような浴室リモコン２の機能と同様の機能を有しており、浴室リモコン２の構成と略同様であるため、ここでは、その説明を省略する。
【００４６】
次に、上記の構成における作用について、後述するフローチャートを参照して説明する。
【００４７】
まず、図６のフローチャートを参照して、特定ユーザ（たとえば大人）の特定音声命令（たとえば「ロックオン」および「ロックオフ」）を登録するための特定音声登録モードについて説明する。この特定音声登録モードにおいて特定ユーザの特定音声命令が予め登録されると、特定ユーザが登録された特定音声命令を発することにより、運転動作モードが通常の給湯運転動作モードから音声命令入力不可モードに移行されたり、運転動作モードが音声命令入力不可モードから通常の給湯運転動作モードに移行されたりする。
【００４８】
なお、以下では、浴室リモコン２において特定ユーザの音声命令の登録手順について説明するが、台所リモコン３においても同様の手順で特定ユーザの音声命令の登録を行うことができる。また、図６に示すフローチャートでは、特定ユーザが発する音声命令を登録するときの制御動作を説明しているが、任意のユーザが発する音声命令を受け付ける際の標準の音声命令は、予め登録されているものとする。
【００４９】
まず、たとえば浴室リモコン２の浴室側マイコン２６は、ユーザによって特定音声登録モードに移行させるための所定の操作（たとえば特定ディップスイッチが操作される操作、あるいは操作部２４に設けられた所定の操作スイッチが数秒間継続して押し続けられる操作）が施されると、運転動作モードを通常の給湯運転動作モードから特定音声登録モードに移行させる。浴室側マイコン２６は、特定音声登録モードに移行させると、スピーカ２５ａを通じて操作部２４に設けられたアップ・ダウンスイッチ２４ｂを指定する旨の案内メッセージを音声出力させる（Ｓ１）。
【００５０】
具体的には、浴室側マイコン２６は、「アップ・ダウンスイッチ２４ｂを押してください」といった案内メッセージをＥＥＰＲＯＭ２７から読み出す。読み出された音声データとしての案内メッセージは、音声信号処理部（図示略）においてディジタル信号からアナログ信号に変換され、スピーカ２５ａから上記案内メッセージが音声出力される。この場合、アップ・ダウンスイッチ２４ｂを点灯または点滅させてもよい。特定ユーザは、この案内メッセージなどによって、音声命令入力不可モードに移行するための音声命令を登録するためには、アップ・ダウンスイッチ２４ｂを押圧操作すべきであることを把握することができる。
【００５１】
次いで、浴室側マイコン２６は、アップ・ダウンスイッチ２４ｂの両方が同時に所定時間（たとえば数秒）押圧されたか否かの判別を行う（Ｓ２）。アップ・ダウンスイッチ２４ｂが押圧されたと判別すると（Ｓ２：ＹＥＳ）、浴室側マイコン２６は、そのアップ・ダウンスイッチ２４ｂ固有の識別コードなどを一旦図示しないＲＡＭに記憶させる。なお、この特定音声登録モードにおいては、操作スイッチが押圧されても、本来の操作スイッチの押圧による制御動作は受け付けないように制御される。
【００５２】
一方、ステップＳ２においてアップ・ダウンスイッチ２４ｂが押圧されず（Ｓ２：ＮＯ）、所定時間経過しても未だアップ・ダウンスイッチ２４ｂが押圧されないと判別されたとき（Ｓ３：ＹＥＳ）、たとえば「特定音声登録モードを終了します。音声登録の必要があれば再度特定音声登録モードに設定して下さい。」といった特定音声登録モードを終了する旨の案内メッセージを音声出力させる（Ｓ４）。そして、浴室側マイコン２６は、運転動作モードを特定音声登録モードから通常の給湯運転動作モードに移行させる（Ｓ５）。すなわち、ユーザは、所定時間操作をしなければ、特定音声登録モードを終了させることができる。
【００５３】
アップ・ダウンスイッチ２４ｂが押圧された場合、アップ・ダウンスイッチ２４ｂを点灯または点滅させるとともに（Ｓ６）、浴室側マイコン２６は、予めＥＥＰＲＯＭ２７に記憶されている音声命令を読み出し、アップ・ダウンスイッチ２４ｂの音声命令としての言葉を教示する案内メッセージを音声出力させる（Ｓ７）。
【００５４】
たとえば、ユーザによってアップ・ダウンスイッチ２４ｂが押圧された場合、浴室側マイコン２６は、音声命令入力不可モードに移行させるための音声命令が登録されることを認識し、音声命令入力不可モードに移行させるための音声命令として標準的に用いられる「ロックオン」を案内メッセージを含めて出力する。たとえば、スピーカ２５ａを通じて「このスイッチの音声命令は『ロックオン』です。」といった案内メッセージを音声出力させる。
【００５５】
これにより、ユーザは、アップ・ダウンスイッチ２４ｂについての音声命令を把握でき、その音声命令をマイクロフォン２５ｂから音声で入力することができる。また、アップ・ダウンスイッチ２４ｂが点灯などするので、ユーザは、どの操作スイッチに関する音声命令であるのかも容易に把握することができる。
【００５６】
なお、アップ・ダウンスイッチ２４ｂにおいて標準的に用いられる音声命令（たとえば「ロックオン」）は予め記憶されておらず、ユーザが任意に選択した音声命令（たとえば「チャイルドロックオン」）を音声入力するようにしてもよい。また、ユーザは、予め記憶されている標準的に用いられる音声命令を変更したいときには、新たな音声命令を音声入力するようにし、浴室側マイコン２６では、以前に登録した音声命令を新たな音声命令に書き換えて登録するようにしてもよい。
【００５７】
次いで、浴室側マイコン２６は、音声命令がマイクロフォン２５ｂを通じて音声入力されるか否かを判別する（Ｓ８）。これは、ユーザが音声命令をマイクロフォン２５ｂを通じて音声入力し、音声処理部２５および浴室側マイコン２６によって認識されたことにより、音声命令が音声入力されたと判別する。
【００５８】
ユーザがたとえば当該音声命令（たとえば「ロックオン」）を発し、浴室側マイコン２６は、音声命令が音声入力されたと判別したとき（Ｓ８：ＹＥＳ）、その音声命令を、特定ユーザの音声命令としてＥＥＰＲＯＭ２７の音声命令登録テーブル（図４参照）の「特定ユーザの音声命令」の記録領域に音声データとして記憶させる（Ｓ９）。この場合、ＥＥＰＲＯＭ２７には、特定ユーザ特有の形態の音声データが記憶される。そして、浴室側マイコン２６は、「特定音声命令として『ロックオン』を登録しました」といった登録が完了した旨の案内メッセージをスピーカ２５ａを通じて出力させるとともに、登録した音声命令を表示部２３に文字にして表示させる（Ｓ１０）。これにより、ユーザは自己の発した音声命令が確実に登録されたことを把握することができる。
【００５９】
一方、ステップＳ８において音声命令が音声入力されず（Ｓ８：ＮＯ）、所定時間経過しても未だ音声命令が音声入力されないと判別したとき（Ｓ１１：ＹＥＳ）、ステップＳ４に進み、特定音声登録モードを終了する旨の案内メッセージを音声出力させる処理を行い、特定音声登録モードを終了する。
【００６０】
なお、音声命令入力不可モードを解除するための音声命令（たとえば「ロックオフ」）も、上記と同様にして登録することができる。なお、音声命令入力不可モードを手動によって設定するおよび解除するためには、いずれもアップ・ダウンスイッチ２４ｂを用いて行われるため、音声命令によって音声命令入力不可モードを解除するための音声命令を登録するには、まず、音声命令入力不可モードを設定する音声命令（たとえば「ロックオン」）を登録した後で、音声命令入力不可モードを解除する音声命令（たとえば「ロックオフ」）を登録する必要がある。
【００６１】
このように、音声命令入力不可モードの設定および解除を行うための音声命令を特定ユーザ自身による操作によって登録することができる。なお、一旦、登録した音声命令の音声データは、後に消去することも可能とされてもよいし、また、上書き入力することも可能とされてもよい。
【００６２】
次に、通常の給湯運転動作モードにおける制御を、図７に示すフローチャートを参照して説明する。この通常の給湯運転動作モードでは、上記音声命令入力不可モードの設定および解除に関する特定音声命令が特定登録音声モードにおいて既に登録されていることが前提となる。
【００６３】
まず、通常の給湯運転動作モードが開始されると、浴室側マイコン２６は、ユーザによって浴室リモコン２のいずれかの操作スイッチの入力操作があったか否かを判別する（Ｓ２１）。操作スイッチの入力操作があった場合（Ｓ２１：ＹＥＳ）、その操作スイッチに対応する制御動作を行う（Ｓ２２）。たとえば、ユーザによって運転スイッチ２４ａが押圧されれば、その旨のコマンド信号が浴室リモコン２から給湯運転本体１に送られ、給湯運転本体１では、給湯運転が開始される。
【００６４】
一方、操作スイッチによる入力操作がなく（Ｓ２１：ＮＯ）、ユーザによってマイクロフォン２５ｂを通じて音声命令による入力がある場合（Ｓ２３：ＹＥＳ）、その音声入力が特定ユーザによる「ロックオン」の音声命令であるか否かを判別する（Ｓ２４）。すなわち、浴室側マイコン２６は、音声命令登録テーブル（図４参照）を参照して、入力された音声命令が、特定ユーザによって登録された「ロックオン」の特定音声命令と一致するか否かを判別する。
【００６５】
この判別処理には、音声入力した音声命令と既に登録されている音声命令との一致度を、いわゆるパターンマッチングの技法を用いて算出する。たとえば、既に登録された音声命令およびそれに類似する音声命令を予めデータベース化しておき、これらと音声入力された音声命令とを、いわゆるクラスタ認識や階層認識といった方法を採用して一致度を算出する。たとえば、音声入力した音声命令が「ロックオン」であって、既に登録されている音声命令が「ロックオフ」の場合、「ロック」は同一であるので「オン」および「オフ」が特徴部分として抽出される。そして、「オン」および「オフ」では、最後の文字部分が異なるので、最後の文字部分に重み付けをして両者の一致度が算出される。そして、この一致度と認識基準値とが比較され、入力された音声命令と、特定ユーザによって登録された特定音声命令とが一致するか否かが判別される。
【００６６】
このような判別処理によって、入力された音声命令が、特定ユーザによって登録された「ロックオン」の特定音声命令と一致すると判別された場合（Ｓ２４：ＹＥＳ）、運転動作モードを通常の給湯運転動作モードから音声命令入力不可モードに移行させる（Ｓ２５）。
【００６７】
一方、入力された音声命令が、特定ユーザによって登録された「ロックオン」の特定音声命令でないと判別された場合（Ｓ２４：ＮＯ）、音声処理部２５では、入力された音声命令を認識する処理を行う（Ｓ２６）。具体的には、入力された音声命令と、ＥＥＰＲＯＭ２７の音声命令登録テーブル（図４参照）に登録された標準の音声命令とを照合し、一致する音声命令があるか否かを判別する。一致する音声命令がある場合、その音声命令に対応する制御内容を認識する。
【００６８】
次いで、浴室側マイコン２６は、音声命令の認識が正しいか否かの判別を行う（Ｓ２７）。具体的には、たとえば「運転スイッチオン」と認識した場合、「音声出力された音声命令は『運転スイッチオン』で正しいですか」といった音声命令を確認するメッセージを出力する。それに対し、ユーザから「はい」という音声入力があれば、音声認識が正しいと判別する（Ｓ２７：ＹＥＳ）。
【００６９】
音声認識が正しいと判別すれば、ステップＳ２２に進み、当該音声命令による制御を実施する。また、音声命令を確認するメッセージに対し、ユーザから「いいえ」という音声入力があれば、音声認識が誤っていると判別し（Ｓ２７：ＮＯ）、「音声入力が認識できませんでした。再度、命令ください。」といった再度の音声入力を要求する旨の音声メッセージを出力する（Ｓ２８）。
【００７０】
次いで、上記したステップＳ２７と同様の処理が行われ（Ｓ２９）、音声認識が正しいと判別した場合（Ｓ２９：ＹＥＳ）、ステップＳ２２に進み、その音声入力による制御を実施する。また、音声認識が誤っていると判別した場合（Ｓ２９：ＮＯ）、音声入力が認識できない理由を音声にして出力する（Ｓ３０）。たとえば、音声入力中に水栓が使用されておれば、「水栓が使用中のため、音声認識が正常に認識できませんでした。水栓の使用を終了後、スイッチを操作するか音声入力してください。」といった案内メッセージを出力する。なお、音声入力が認識できない理由は、表示部２３に文字としてスクロール表示されてもよい。
【００７１】
このように、通常の給湯運転動作モードでは、特定ユーザによる「ロックオン」の音声命令が発せられるか否かが判別され、当該音声命令が発せられたと判別された場合、音声命令入力不可モードに移行する。そのため、特定ユーザ以外のユーザ（たとえば子供）がたとえば「ロックオン」と発しても音声命令入力不可モードに移行されることはなく、通常の給湯運転動作モードにおける誤認識を防止することができる。
【００７２】
なお、運転動作モードを通常の給湯運転動作モードから音声命令入力不可モードに移行させるには、操作スイッチを押圧するといった手動操作（アップ・ダウンスイッチ２４ｂによる操作）も可能とされているが、この手動操作の入力を不可として、音声命令によるものでしか音声命令入力不可モードに移行させることができないように制御してもよい。すなわち、浴室側マイコン２６は、通常の給湯運転動作モードにおいてアップ・ダウンスイッチ２４ｂの両方が同時に押下されても、アップ・ダウンスイッチ２４ｂからの操作信号を無視するように動作する。
【００７３】
次に、音声命令入力不可モードにおける制御動作について、図８のフローチャートを参照して説明する。なお、以下の説明では、先に説明した図７のステップＳ２５における処理において音声命令入力不可モードに移行されていることを前提とする。
【００７４】
まず、浴室側マイコン２６は、音声入力があるか否かの判別を行う（Ｓ４１）。音声入力がある場合（Ｓ４１：ＹＥＳ）、ＥＥＰＲＯＭ２７の音声命令登録テーブル（図４参照）を参照し、入力された音声命令が特定ユーザによって登録された「ロックオフ」の特定音声命令と一致するか否かを判別する（Ｓ４２）。
【００７５】
入力された音声命令が特定ユーザによって登録された「ロックオフ」の特定音声命令と一致すると判別した場合（Ｓ４２：ＹＥＳ）、浴室側マイコン２６は、運転動作モードを音声命令入力不可モードから通常の給湯運転動作モードに移行させる（Ｓ４３）。
【００７６】
一方、入力された音声命令が特定ユーザによって登録された「ロックオフ」の特定音声命令と一致しないと判別した場合（Ｓ４２：ＮＯ）、入力された音声命令を受け入れず（Ｓ４４）、その理由を案内する（Ｓ４５）。たとえば、「ロック中ですので、音声命令は受け付けられません。」といった案内メッセージを出力する。
【００７７】
このように、音声命令入力不可モードの実行中に、特定ユーザによる「ロックオフ」といった音声命令入力不可モードを解除するための特定音声命令があると、音声命令入力不可モードから通常の給湯運転動作モードに移行され、以降、任意の音声命令の入力を受け付け可能な状態となる。換言すれば、特定ユーザによる「ロックオフ」の音声命令がなければ、音声命令入力不可モードを解除することができず、特定ユーザ以外のユーザ（たとえば子供）が「ロックオフ」と音声命令を発しても、受け入れられないため、たとえば子供がなにげなく発した言葉を誤認識していまい、音声命令入力不可モードを解除してしまうといった不都合を防止することができる。また、その後、音声命令入力不可モードを解除された状態で、たとえば風呂湯の温度を上昇させる旨の音声命令を子供が発し、子供が意識しない間に風呂湯の温度が上昇してしまうといったことも防止することができ、入浴者に対する安全性を確保した温水システムを提供することができる。
【００７８】
なお、運転動作モードを音声命令入力不可モードから通常の給湯運転動作モードに移行させるには、所定の手動操作（たとえば上下のアップ・ダウンスイッチ２４ｂおよび設定スイッチ２４ｇを同時に押圧する操作、あるいは運転スイッチ２４ａのオフ操作後、所定時間内に上下のアップ・ダウンスイッチ２４ｂを同時に押圧する操作、あるいは電源コンセントを所定時間抜いておくといった操作）によっても可能とされているが、この手動操作の入力を不可として、音声命令によるものでしか通常の給湯運転動作モードに移行させる（すなわち音声命令入力不可モードを解除させる）ことができないように制御してもよい。すなわち、浴室側マイコン２６は、音声命令入力不可モードにおいてアップ・ダウンスイッチ２４ｂの両方が同時に押下されても、アップ・ダウンスイッチ２４ｂからの操作信号を無視するように動作する。あるいは、音声命令入力不可モードを解除するには、音声命令または電源リセット（給湯装置本体１の電源を入り切りすることにより行われる動作）のいずれかのみとされてもよい。
【実施例２】
【００７９】
次に、本願発明の実施例２にかかる温水システムについて説明する。実施例１にかかる温水システムでは、通常の給湯運転動作モードから音声命令入力不可モードに移行されたときにおいては、特定ユーザが発する「ロックオフ」の特定音声命令以外の音声命令は、その入力を受け付けない構成とされたが、実施例２にかかる温水システムでは、これに代えて、音声命令入力不可モードにおいては、特定ユーザが発する「ロックオフ」の特定音声命令に加えて、特定ユーザによる給湯運転動作を行うための一部の音声命令の入力を受け付けること（許容すること）が可能とされている。
【００８０】
すなわち、音声命令入力不可モードにおいて入力可能な音声命令としては、図９の音声命令登録テーブルに示すように、比較的安全性の高い音声命令である「運転スイッチオフ」、「風呂補水」、「給湯停止」などが設定されている（以下、「運転スイッチオフ」、「風呂補水」、「給湯停止」などを「許容音声命令」という。）。これらの許容音声命令は、予め特定ユーザによって実施例１で説明した特定音声登録モードにおいて登録される。そして、音声命令入力不可モードにおいて、許容音声命令と一致する音声命令が特定ユーザによって発せられた場合、当該音声命令による入力を受け付けるようにして当該音声命令に関する給湯制御を行うようにされている。
【００８１】
この場合の具体的な動作制御を、図１０に示すフローチャートを参照して説明する。なお、図１０におけるステップＳ５１〜Ｓ５３、Ｓ５６およびＳ５７については、図８に示したフローチャートにおけるステップＳ４１〜Ｓ４３、Ｓ４４およびＳ４５に示す動作制御と同様であるため、その説明を省略する。
【００８２】
ステップＳ５２において、入力された音声命令が特定ユーザによる「ロックオフ」の特定音声命令と一致しないと判別された場合（Ｓ５２：ＮＯ）、入力された音声命令が、許容音声命令のいずれかと一致するか否かを判別する（Ｓ５４）。すなわち、図９に示した特定音声登録モードが参照され、入力された音声命令が許容音声命令である「運転スイッチオフ」、「風呂補水」、「給湯停止」などのいずれかと一致するか否かが判別される。
【００８３】
ステップＳ５４において、入力された音声命令が許容音声命令のいずれかと一致する場合（Ｓ５４：ＹＥＳ）、当該許容音声命令についての給湯制御が行われる（Ｓ５５）。たとえば、特定ユーザによって「運転スイッチオフ」が音声入力された場合、その音声命令は、許容音声命令のひとつであるため、給湯運転が停止されるといった制御が行われる。
【００８４】
一方、入力された音声命令が許容音声命令のいずれかと一致しない場合（Ｓ５４：ＮＯ）、ステップＳ５６の音声命令を拒否する処理を行う。たとえば、特定ユーザによって「運転スイッチオン」が音声入力された場合、その音声命令は、許容音声命令ではないため、その音声命令は受け付けないとされる。
【００８５】
このように、ユーザによって発せられた音声命令が比較的安全性の高い音声命令であるならば、たとえ音声命令入力不可モードにおいても、それらの音声命令を許容することにし、その音声命令の給湯動作を実行するようにしてもよい。そのため、比較的安全性の低い音声命令（たとえば「運転スイッチオン」、「風呂追い焚き」）の音声入力を受け付けないので、安全性を考慮した温水システムとなる。
【００８６】
なお、この実施例２では、予め特定ユーザによって発せられた許容音声命令に限って受け付け可能とされたが、これに代えて、いずれのユーザが許容音声命令を発すれば、それに応じた給湯動作が行われるようにしてもよい。
【実施例３】
【００８７】
次に、本願発明の実施例３にかかる温水システムについて説明する。実施例２の温水システムにおいては、特定ユーザによって発せられた音声命令が許容音声命令のいずれかであるとき、音声命令入力不可モードにおいてそれらの音声命令の入力を受け付けるように制御されたが、この制御に代えて、図１１に示す音声命令登録テーブルに示すように、特定ユーザ以外のユーザ（たとえば子供）によって音声命令が発せられた場合、その音声命令が比較的安全性の高い許容音声命令であるときには、その入力を受け付けるようにされている。この場合、許容音声命令は、特定ユーザが発するものと、特定ユーザ以外のユーザが発するものとで区別して設ける構成とされている。
【００８８】
すなわち、同図によると、音声命令入力不可モードにおいて特定ユーザ以外のユーザが発する場合に入力可能な許容音声命令としては、「運転スイッチオフ」、「風呂補水」、「給湯停止」が設定されている。また、特定ユーザが発する場合に入力可能な許容音声命令としては、「運転スイッチオン」、「運転スイッチオフ」、「風呂追い焚き」、「風呂補水」、「給湯停止」が設定されている。
【００８９】
この構成によると、浴室側マイコン２６は、音声命令入力不可モードにおいて、たとえば「運転スイッチオフ」の音声命令が入力された場合、それが特定ユーザが発したものかまたは特定ユーザ以外のユーザが発したものかの判別を行わず、無条件にその音声命令の入力を受け付ける。また、浴室側マイコン２６は、たとえば「運転スイッチオン」の音声命令が入力された場合、その音声命令が特定ユーザが発せられたものであるか、または特定ユーザ以外のユーザが発せられたものであるかを判別し、特定ユーザが発した場合には、その音声命令を受け付けるようにする。一方、特定ユーザ以外のユーザが発した場合には、その音声命令を受け付けないように制御する。
【００９０】
このように、音声命令入力不可モードにおいて、比較的安全性の高い許容音声命令を特定ユーザ以外のユーザが発した場合には、その入力を受け付けるようにしてもよい。また、特定ユーザの発する音声命令と、特定ユーザ以外のユーザ発する音声命令とで、音声命令入力不可モードにおいて許容音声命令が異なるようにしてもよい。
【実施例４】
【００９１】
次に、本願発明の実施例４にかかる温水システムについて説明する。この実施例４の温水システムにおいては、音声命令入力不可モードを設定および解除する特定音声命令（たとえば「ロックオン」および「ロックオフ」）の認識基準値が異なるように設定されている。
【００９２】
たとえば、上記認識基準値が高めに設定されるということは、音声を認識する上でその基準が厳格になることを表し、たとえばユーザは、音声命令の言葉をある程度明瞭に話さなければ認識されないことを表している。逆に、上記認識基準値が低めに設定されるということは、音声を認識する上でその基準が易しくなることを表し、多少あいまいな言葉でも認識されることを表している。
【００９３】
この実施例４では、図１２の認識基準値テーブルに示すように、「ロックオン」および「ロックオフ」といった、音声命令入力不可モードを設定するおよび解除するための特定音声命令の認識基準値が、他の音声命令の認識基準値に比べ、高くなるように設定されている。たとえば、図１２によると、「ロックオン」および「ロックオフ」の特定音声命令の認識基準値は８０％とされ、それら以外の音声命令の認識基準値は６０％とされている。
【００９４】
このように、音声命令入力不可モードを設定する、および解除するための特定音声命令の認識基準値をそれら以外の音声命令の認識基準値より高く設定することにより、ユーザは、音声命令入力不可モードの設定および解除する際、一致度が認識基準値を上回らなければ音声命令を認識できないため、よりはっきりと正確にそれらの特定音声命令を発しなければならなくなる。すなわち、特定音声命令の認識基準値を高く設定することにより、音声命令入力不可モードの設定および解除を実行する際に、特定音声命令の誤認識を防止することができる。
【００９５】
なお、認識基準値は、音声命令入力不可モードの設定および解除に関する「ロックオン」および「ロックオフ」とで、異なるように設定されていてもよい。すなわち、図１３の認識基準値テーブルに示すように、「ロックオフ」の認識基準値が「ロックオン」の認識基準値より高く設定されていてもよい。たとえば、図１３によると、「ロックオン」の認識基準値は７０％とされ、「ロックオフ」の認識基準値は８０％とされている。
【００９６】
これによれば、通常の給湯運転動作モードにおいて、音声命令入力不可モードに移行するための「ロックオン」の特定音声命令より、音声命令入力不可モードにおいて、通常の給湯運転動作モードに移行するための「ロックオフ」の特定音声命令がよりはっきりと正確に発しなければならなくなる。したがって、通常の給湯運転動作モードから音声命令入力不可モードに移行する場合より、音声命令入力不可モードから通常の給湯運転動作モードに移行する場合の方が、よりはっきりと正確に特定音声命令を発しなければならなくなる。すなわち、音声命令入力不可モードを解除する場合の特定音声命令の認識基準値を高く設定することにより、音声命令入力不可モードの解除を実行する際に、特定音声命令の誤認識を防止することができる。
【００９７】
また、音声命令入力不可モードにおける各音声命令の認識基準値は、図１４の認識基準値テーブルに示すように、通常の給湯運転動作モードにおける各音声命令の認識基準値に比べ、高く設定されるようにしてもよい。たとえば、図１４によると、通常の給湯運転動作モードにおける各音声命令の認識基準値は６０％とされ、音声命令入力不可モードにおける各音声命令の認識基準値は８０％とされている。したがって、通常の給湯運転動作モードにおいて音声命令を発する場合に比べ、音声命令入力不可モードにおいて音声命令を発する場合の方が、音声命令の誤認識をより防止することができる。
【００９８】
なお、上記した認識基準値は、示した値に限定されるものではない。また、上記した認識基準値は、所定の方法で設定変更可能とされてもよい。
【００９９】
もちろん、この発明の範囲は上述した実施の形態に限定されるものではない。たとえば、リモコン装置の数は、上記実施形態に限るものではない。また、本実施形態にかかる温水システムは、テレビジョンを受像することのできるテレビジョン受像機が設けられ、給湯装置本体１にそれが接続される構成としてもよい。また、給湯装置本体１は、風呂湯を供給するための風呂装置、室内を暖めるための温水暖房装置、室内の床を暖めるための温水床暖房装置、積雪を融解するための融雪装置、または室内の空気温度を調整するための温水空調装置の少なくともいずれか、若しくはこれらを組み合わせたものであってもよい。
【図面の簡単な説明】
【０１００】
【図１】本願発明の実施例１にかかる温水システムを一般住宅に適用した場合の一例を示す概略構成図である。
【図２】図１の温水システムの電気的構成を示す図である。
【図３】音声命令登録テーブルの一例を示す図である。
【図４】浴室リモコンの正面図である。
【図５】変型例の浴室リモコンの正面図である。
【図６】本温水システムの作用を説明するためのフローチャートである。
【図７】本温水システムの作用を説明するためのフローチャートである。
【図８】本温水システムの作用を説明するためのフローチャートである。
【図９】音声命令登録テーブルの一例を示す図である。
【図１０】本温水システムの作用を説明するためのフローチャートである。
【図１１】音声命令登録テーブルの一例を示す図である。
【図１２】認識基準値テーブルの一例を示す図である。
【図１３】認識基準値テーブルの一例を示す図である。
【図１４】認識基準値テーブルの一例を示す図である。
【符号の説明】
【０１０１】
１    給湯装置本体
２    浴室リモコン
３    台所リモコン
１２    本体側マイコン
２３    表示部
２４    操作部
２４ｂ  アップ・ダウンスイッチ
２５    音声処理部
２５ａ  スピーカ
２５ｂ  マイクロフォン
２６    浴室側マイコン
２７    ＥＥＰＲＯＭ
【図１】
2005180786.tif 000003
【図２】
2005180786.tif 000004
【図３】
2005180786.tif 000005
【図４】
2005180786.tif 000006
【図５】
2005180786.tif 000007
【図６】
2005180786.tif 000008
【図７】
2005180786.tif 000009
【図８】
2005180786.tif 000010
【図９】
2005180786.tif 000011
【図１０】
2005180786.tif 000012
【図１１】
2005180786.tif 000013
【図１２】
2005180786.tif 000014
【図１３】
2005180786.tif 000015
【図１４】
2005180786.tif 000016